(57)【要約】【課題】  従来の超音波測深器では、装置が大型で、水中で使用することはできず、船上で使用するように構成されている。【解決手段】  筒状ケース１の側面に多色表示部２及び液晶表示部３が装着され、筒状ケース１の側部にスイッチ４が装着され、筒状ケース１の端部に超音波振動子５が装着され、超音波振動子５に送信回路６が接続され、送信回路６にスイッチ４が接続された送信制御部７が接続され、超音波振動子５に受信回路８が接続され、受信回路８に距離検出部９が接続され、距離検出部９に液晶制御ユニット１０が接続され、液晶制御ユニット１０に液晶表示部３が装着された液晶表示ユニット１１が接続され、距離検出部９に距離判定部１２が接続され、距離判定部１２にＬＥＤ制御ユニット１３が接続され、ＬＥＤ制御ユニット１３に多色ＬＥＤ１４が接続され、送信制御部７、距離検出部９及び距離判定部１２はＣＰＵ１５で構成されている。【選択図】図１
2006038585.tif 000002
【特許請求の範囲】
【請求項１】
筒状ケースの一端に装着された超音波振動子と、前記筒状ケースの側部に装着された液晶表示部及び多色表示部と、前記筒状ケースの側部に装着されたスイッチと、該スイッチのオンによって、始動信号を出力する送信制御部と、送信制御部からの始動信号で送信出力を前記超音波振動子に印加する送信回路と、前記超音波振動子から反射波信号を受信して増幅する受信回路と、前記送信回路からの始動信号と前記受信回路で前記超音波振動子からの反射波信号を受信した時間の差から超音波が反射した目標物までの距離を検出する距離検出部と、該距離検出部からの検出信号で前記距離を表示する信号を作成する液晶制御ユニットと、該液晶制御ユニットからの信号で距離を表示する前記液晶表示部を設けた液晶表示ユニットと、前記距離検出部からの信号で距離を判定する距離判定部と、該距離判定部からの信号で表示すべき距離信号に変換するＬＥＤ制御ユニットと、該ＬＥＤ制御ユニットからの信号で距離に応じた色を表示する多色表示部を設けた多色ＬＥＤとからなる携帯用測深器。
【請求項２】
前記送信制御部、前記距離検出部及び前記距離判定部はＣＰＵからなることを特徴とする請求項１記載の携帯用測深器。
【発明の詳細な説明】
【技術分野】
【０００１】
本発明は、目標物に向けて超音波を発射することにより、目標物までの距離を筒状ケースの側部に装着された多色ＬＥＤ及び液晶表示ユニットによって、表示する携帯用測深器に関するものである。
【背景技術】
【０００２】
従来、この種の超音波測深器としては、超音波振動子から超音波を海底に向けて照射し、海底からの反射波を超音波振動子で受信し、その反射波を反射信号に変換して、受信回路で増幅し、超音波を照射してから受信回路で受信するまでの時間を演算して、得られた結果を表示装置で表示するようにしたものが提案されている。
【０００３】
しかしながら、従来のこのような超音波測深器では、装置が大型で、水中で使用することはできず、船上で使用するように構成されている。
【特許文献１】特開平１０−１７０６４９号公報
【発明の開示】
【発明が解決しようとする課題】
【０００４】
解決しようとする問題点は、装置が大型で、水中で使用することはできないという点である。
【課題を解決するための手段】
【０００５】
本発明は、超音波振動子が筒状ケースの一端に装着され、液晶表示部及び多色表示部が筒状ケースの側部に装着され、スイッチが筒状ケースの側部に装着され、スイッチのオンによって、送信制御部が始動信号を出力し、送信回路は送信制御部からの始動信号で送信出力を超音波振動子に印加し、受信回路は超音波振動子から反射波信号を受信して増幅し、距離検出部は送信回路からの始動信号と受信回路で超音波振動子からの反射波信号を受信した時間の差から超音波が反射した目標物までの距離を検出し、液晶制御ユニットは距離検出部からの検出信号で距離を表示する信号を作成し、液晶表示部を設けた液晶表示ユニットは液晶制御ユニットからの信号で距離を表示し、距離判定部は距離検出部からの信号で距離を判定し、ＬＥＤ制御ユニットは距離判定部からの信号で表示すべき距離信号に変換し、多色表示部を設けた多色ＬＥＤはＬＥＤ制御ユニットからの信号で距離に応じた色を表示するものである。
【発明の効果】
【０００６】
本発明の携帯用測深器では、筒状ケースに設けたスイッチをおすことにより、超音波振動子から超音波が照射され、その反射波信号が液晶表示部で超音波振動子を向けた方向の目標物までの距離を表示するとともに、多色ＬＥＤで距離に応じて色で表示することにより、液晶表示を見ることなく、目標物までの大体の距離を確認することができる。
【実施例】
【０００７】
図１は本発明の実施例の携帯用測深器の側面図、図２は図１の携帯用測深器のブロック図で、筒状ケース１の側面に多色表示部２及び液晶表示部３が装着され、さらに、筒状ケース１の側部にスイッチ４が装着され、又、筒状ケース１の端部に超音波振動子５が装着され、超音波振動子５に送信回路６が接続され、この送信回路６にスイッチ４が接続された送信制御部７が接続され、さらに、超音波振動子５に受信回路８が接続され、受信回路８に距離検出部９が接続され、又、距離検出部９に液晶制御ユニット１０が接続され、この液晶制御ユニット１０に液晶表示部３が装着された液晶表示ユニット１１が接続され、さらに、距離検出部９に距離判定部１２が接続され、距離判定部１２にＬＥＤ制御ユニット１３が接続され、ＬＥＤ制御ユニット１３に多色ＬＥＤ１４が接続され、送信制御部７、距離検出部９及び距離判定部１２はＣＰＵ１５で構成されている。
【０００８】
このように構成された本実施例の携帯用測深器では、スイッチ４をオンにすることによって、送信制御部７からの始動信号が送信回路６及び距離検出部９に入力されると、送信回路６から送信信号が超音波振動子４に入力され、それによって、超音波振動子４から超音波が水中に発射され、超音波が照射された方向の目標物で超音波が反射され、その反射波が超音波振動子４に入力され、受信回路８で増幅されて、距離検出部９に入力されることによって、送信制御部７から入力された始動信号が距離検出部９に入力された時からの時間経過により、目標物までの距離を検出し、この検出信号を液晶制御ユニット１０に入力することによって、液晶表示ユニット１１の液晶表示部３で距離を表示し、又、距離検出部９からの距離信号を距離判定部１２に入力すると、距離判定部１２では、００〜０５ｍを赤、０５ｍ〜１０ｍを橙、１０〜２０ｍを黄、２０〜３０ｍ緑、３０〜４０ｍを水色、４０〜５０ｍを青のように、それぞれの距離に応じて異なった色が発生するように判定し、多色ＬＥＤ１４により多色表示部２で距離に応じた色を表示することができる。
【０００９】
本実施例では、このように、目標物までの距離に応じて色を多色ＬＥＤ１４で発色することにより多色表示部２でそれぞれの距離に応じた色が表示されるので、わざわざ液晶表示部３を見なくても、大まかな距離が色で瞬時に判別が可能となり、又、細かな距離を知りたい時は液晶表示部３の数値を見れば良いという利点があり、さらに、スイッチ４を押しながら、周囲に超音波を照射すると、周囲の超音波反射物で反射した超音波を受信することによって、周囲の反射物までの距離が色で表示されるので、視界が暗くても、反射物までの大体の距離を多色表示部２を見ることにより順次確認することができる。
【産業上の利用可能性】
【００１０】
上記実施例では、図１に多色表示部２を丸で示したが、ＬＥＤを横又は縦に並べても良いし、又、図１では、多色表示部２と液晶表示部３を横に並べているが、上下に配置しても良いし、さらに、多色表示部２として、色の異なる単色カラーＬＥＤを多数並べても良い。
【図面の簡単な説明】
【００１１】
【図１】本発明の実施例の携帯用測深器の側面図である。
【図２】図１の携帯用測深器のブロック図である。
【符号の説明】
【００１２】
１                筒状ケース
２                多色表示部
３                液晶表示部
４                スイッチ
５                超音波振動子
６                送信回路
７                送信制御部
８                受信回路
９                距離検出部
１０              液晶制御ユニット
１１              液晶表示ユニット
１２              距離判定部
１３              ＬＥＤ制御ユニット
１４              多色ＬＥＤ１４
１５              ＣＰＵ
【図１】
2006038585.tif 000003
【図２】
2006038585.tif 000004